(57)【要約】【課題】着用者が動いたり姿勢を変えても衣料全体を冷却しつつ、スリムなシルエットも得られる送風機付きの衣料を提供する。【解決手段】表地１１と、表地１１よりも着用者の肌側に配置されている裏地１２と、表地１１の縁部１１ａと裏地１２が互いに止着されている第１止着部２１と、表地１１に取り付けられており、外部の空気を表地１１と裏地１２の間に取り込む送風機１５と、裏地１２に形成されており、表地１１と裏地１２の間の空気を着用者側に排出する複数の排気口と、を有している衣料１であって、第１止着部２１から離間している位置において表地１１と裏地１２が互いに止着されている複数の第２止着部２２が設けられており、複数の第２止着部２２は、身幅方向ｘの一方側ｘ１と他方側ｘ２のそれぞれにおいて身長方向ｙに離間して配置されている。【選択図】図３
2020084348.tif 000002
【特許請求の範囲】
【請求項１】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、
前記裏地に形成されており、前記表地と前記裏地の間の空気を着用者側に排出する複数の排気口と、を有している衣料であって
前記第１止着部から離間している位置において前記表地と前記裏地が互いに止着されている複数の第２止着部が設けられており、
前記複数の第２止着部は、身幅方向の一方側と他方側のそれぞれにおいて身長方向に離間して配置されていることを特徴とする衣料。
【請求項２】
前記第２止着部が、身幅方向の一方側と他方側のそれぞれにおいて少なくとも３つずつ配置されており、
身幅方向の一方側と他方側のそれぞれにおいて、隣り合う第２止着部間の身長方向の距離は、空気の流れ方向の下流側ほど小さい請求項１に記載の衣料。
【請求項３】
前記第２止着部は、身長方向に延在するように配置されている請求項１または２に記載の衣料。
【請求項４】
前記第２止着部は、身長方向の上方から下方に向かって身幅方向の内方から外方に延在するように配置されている請求項１〜３のいずれか一項に記載の衣料。
【請求項５】
前記第２止着部は、身長方向の上方から下方に向かって身幅方向の外方から内方に延在するように配置されている請求項１〜３のいずれか一項に記載の衣料。
【請求項６】
前記第２止着部は、帯状または線状に形成されている請求項１〜５のいずれか一項に記載の衣料。
【請求項７】
前記第２止着部が、身幅方向の一方側と他方側のそれぞれにおいて少なくとも２つずつ配置されており、
身幅方向の一方側と他方側のそれぞれにおいて、前記第２止着部の長さは、空気の流れ方向の下流側ほど長い請求項６に記載の衣料。
【請求項８】
前記送風機は、身幅方向の一方側と他方側にそれぞれ取り付けられており、
身幅方向において、前記第２止着部は、２つの前記送風機の内方端よりも内方に配置されている請求項１〜７のいずれか一項に記載の衣料。
【請求項９】
前記第２止着部において、前記表地と前記裏地の間に一方主面と該一方主面と反対側の他方主面を有する中地が配置されており、
前記中地の前記一方主面の一方端部が前記表地の裏側面に取り付けられており、
前記中地の前記一方主面の他方端部が前記裏地の表側面に取り付けられている請求項１〜８のいずれか一項に記載の衣料。
【請求項１０】
前記中地の前記他方主面は、空気の流れ方向の下流側に配置されている請求項９に記載の衣料。
【請求項１１】
さらに、前記第１止着部から離間している位置において前記表地と前記裏地が互いに止着されている複数の第３止着部が設けられており、
前記第３止着部は、身幅方向に延在するように配置されており、
前記複数の第３止着部は、身幅方向の一方側と他方側のそれぞれにおいて、身幅方向に離間して配置されている請求項１〜１０のいずれか一項に記載の衣料。
【請求項１２】
身長方向において、前記複数の第３止着部は、前記複数の第２止着部よりも下方に配置されている請求項１１に記載の衣料。
【請求項１３】
前記衣料は、前身頃と後身頃を有する上衣であり、
前記送風機は、前記後身頃に取り付けられており、
前記複数の第２止着部は、前記前身頃の身幅方向の一方側と他方側と、前記後身頃の身幅方向の一方側と他方側にそれぞれ配置されている請求項１〜１２のいずれか一項に記載の衣料。
【請求項１４】
前記衣料は、表地と該表地よりも着用者の肌側に配置されている裏地とを有し着用者の頭部および首を覆うフードが取り付けられている上衣であり、
前記第２止着部は、前記フードの身幅方向の一方側と他方側にそれぞれ配置されており、
前記フードの裏地に排気口が配置されている請求項１〜１３のいずれか一項に記載の衣料。
【発明の詳細な説明】
【技術分野】
【０００１】
本発明は、表地と裏地の間に空気を通すことで身体の熱を外に逃がすことができる送風機付きの衣料に関するものである。
【背景技術】
【０００２】
熱中症等の対策として、現場作業時、運動時、スポーツ観戦時等に着用する送風機付きの衣服が開発されている。例えば、特許文献１には表布と裏布との間の通気ダクトに該当する箇所に介在して通気ダクトの通気可能状態を維持するスペーサー手段が設けられている衣服が開示されている。
【先行技術文献】
【特許文献】
【０００３】
【特許文献１】特開２０１５−２１２４４７号公報
【発明の概要】
【発明が解決しようとする課題】
【０００４】
しかし、従来の送風機付きの衣料は、身体を曲げたり捻ったりする等、着用者の動きや姿勢によっては空気の流れが悪化して部分的に冷却できないおそれがあったり、衣料全体が膨らむことで太って見えることがあった。
そこで、本発明は、着用者が動いたり姿勢を変えても衣料全体を冷却しつつ、スリムなシルエットも得られる送風機付きの衣料を提供することを目的とする。
【課題を解決するための手段】
【０００５】
前記課題を解決することができた本発明の衣料の一実施態様は、表地と、表地よりも着用者の肌側に配置されている裏地と、表地の縁部と裏地が互いに止着されている第１止着部と、表地に取り付けられており、外部の空気を表地と裏地の間に取り込む送風機と、裏地に形成されており、表地と裏地の間の空気を着用者側に排出する複数の排気口と、を有している衣料であって第１止着部から離間している位置において表地と裏地が互いに止着されている複数の第２止着部が設けられており、複数の第２止着部は、身幅方向の一方側と他方側のそれぞれにおいて身長方向に離間して配置されていることを特徴とする。送風機付きの衣料においては、空気を効率よく流すことが必要であるから第１止着部以外の箇所では表地と裏地が止着されていないことが本来望ましい。しかし、着用者の姿勢は直立不動のときばかりではなく身体を曲げたり捻ったりすることがある。本発明によれば、上記配置で第２止着部が設けられていることにより表地と裏地の間の空気の流れを適度に分岐させることができるため、送風機からの空気は複数のルートを通って排気口から排出されることが可能となる。その結果、着用者が身体を曲げたり捻ったりする等、姿勢を変えても空気の流れをせき止めずに維持することができ、衣料全体を冷却することができる。また、第２止着部を複数設けていることにより衣料の膨らみを抑制することができるため、スリムなシルエットを得ることもできる。
【０００６】
第２止着部が、身幅方向の一方側と他方側のそれぞれにおいて少なくとも３つずつ配置されており、身幅方向の一方側と他方側のそれぞれにおいて、隣り合う第２止着部間の身長方向の距離は、空気の流れ方向の下流側ほど小さいことが好ましい。これにより下流側での空気の流れ方向を制御しやすくなり、衣料全体を好適に冷却することができる。
【０００７】
第２止着部は、身長方向に延在するように配置されていることが好ましい。これにより、空気を身長方向に沿って流れやすくすることができるため、空気の流速が高められ、高い冷却効果を得ることができるようになる。
【０００８】
第２止着部は、身長方向の上方から下方に向かって身幅方向の内方から外方に延在するように配置されていることが好ましい。また、第２止着部は、身長方向の上方から下方に向かって身幅方向の外方から内方に延在するように配置されていてもよい。このように第２止着部を延在させることによって空気の流れ方向を制御することができるとともに、衣料のシルエットの微調整が可能になる。
【０００９】
第２止着部は、帯状または線状に形成されていることが好ましい。第２止着部をこのような形状とすることにより、空気の流れ方向の制御や衣料のシルエットの調整が行いやすくなる。
【００１０】
第２止着部が、身幅方向の一方側と他方側のそれぞれにおいて少なくとも２つずつ配置されており、身幅方向の一方側と他方側のそれぞれにおいて、第２止着部の長さは、空気の流れ方向の下流側ほど長いことが好ましい。これにより下流側での空気の流れ方向を制御しやすくなり、衣料全体を好適に冷却することができる。
【００１１】
送風機は、身幅方向の一方側と他方側にそれぞれ取り付けられており、身幅方向において、第２止着部は、２つの送風機の内方端よりも内方に配置されていることが好ましい。これにより、送風機からの空気をスムーズに第２止着部に誘導しながら、身幅方向の内方側の膨らみを抑制することができるため、スリムなシルエットを得ることができる。
【００１２】
第２止着部において、表地と裏地の間に一方主面と一方主面と反対側の他方主面を有する中地が配置されており、中地の一方主面の一方端部が表地の裏側面に取り付けられており、中地の一方主面の他方端部が裏地の表側面に取り付けられていることが好ましい。このように中地を配置することで、第２止着部における空気の流れ抵抗を調節することができるため、空気の流れ方向を制御しやすくなる。
【００１３】
中地の他方主面は、空気の流れ方向の下流側に配置されていることが好ましい。このように中地を配置することにより、送風機からの空気抵抗を小さくすることができる。
【００１４】
さらに、第１止着部から離間している位置において表地と裏地が互いに止着されている複数の第３止着部が設けられており、第３止着部は、身幅方向に延在するように配置されており、複数の第３止着部は、身幅方向の一方側と他方側のそれぞれにおいて、身幅方向に離間して配置されていることが好ましい。上記配置で第３止着部が設けられていることにより表地と裏地の間の空気の流れをさらに分岐することができる。
【００１５】
身長方向において、複数の第３止着部は、複数の第２止着部よりも下方に配置されていることが好ましい。複数の第３止着部によって空気の流れがせき止められ、送風機からの空気を、空気の流れを適度に分岐させることができる第２止着部に優先的に流すことができるため、衣料全体の冷却効果を一層高めることができる。
【００１６】
衣料は、前身頃と後身頃を有する上衣であり、送風機は、後身頃に取り付けられており、複数の第２止着部は、前身頃の身幅方向の一方側と他方側と、後身頃の身幅方向の一方側と他方側にそれぞれ配置されていることが好ましい。これにより送風機を衣料を着用したときに邪魔にならない位置に配置しつつ、第２止着部によって前身頃と後身頃の両方で空気の流れ方向が制御されるため、衣料全体を効率よく冷却することができる。
【００１７】
衣料は、表地と該表地よりも着用者の肌側に配置されている裏地とを有し着用者の頭部および首を覆うフードが取り付けられている上衣であり、第２止着部は、フードの身幅方向の一方側と他方側にそれぞれ配置されており、フードの裏地に排気口が配置されていることが好ましい。これにより、着用者の顔周りや頭部に風を送ることができるため、身体全体を効率よく冷却することができる。
【発明の効果】
【００１８】
本発明の衣料は、上記配置で第２止着部が設けられていることにより表地と裏地の間の空気の流れを適度に分岐させることができるため、送風機からの空気は複数のルートを通って排気口から排出されることが可能となる。その結果、着用者が身体を曲げたり捻ったりする等、姿勢を変えても空気の流れをせき止めずに維持することができ、衣料全体を冷却することができる。また、第２止着部を複数設けていることにより衣料の膨らみを抑制することができるため、スリムなシルエットを得ることもできる。
【図面の簡単な説明】
【００１９】
【図１】本発明の実施の形態に係る衣料の前身頃を表側から見た平面図を表す。
【図２】図１に示した前身頃を裏側から見た平面図を表す。
【図３】図１に示した衣料の後身頃を表側から見た平面図を表す。
【図４】図１に示した衣料の後身頃を裏側から見た平面図を表す。
【図５】図３に示した衣料の後身頃を表側から見た平面図の変形例を表す。
【図６】図３に示した衣料の後身頃を表側から見た平面図の他の変形例を表す。
【図７】図３のＶＩＩ−ＶＩＩ線に沿った断面図を表し、第２止着部の止着状態を示している。
【図８】図７に示した第２止着部の止着状態の変形例を示す断面図を表す。
【図９】本発明の他の実施の形態に係る衣料の斜視図を表す。
【図１０】図９に示した衣料の背面図を表す。
【図１１】図９に示した衣料に設けられているフードを表側から見た側面図を表す。
【図１２】図９に示したフードを裏側から見た側面図を表す。
【発明を実施するための形態】
【００２０】
以下、本発明に係る衣料に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００２１】
本発明において衣料とは身に着けるものであり、コート・ジャケット・ジャンパー等の上衣、ズボン・スカート等の下衣、ワンピース・つなぎ等の上衣と下衣が一体化したつなぎ服を含む。また、本発明の衣料は、防暑用、スポーツ用、アウトドア用として好適に用いられる。
【００２２】
本発明において衣料の裏側とは、衣料を着用した際の着用者の肌に向く側を意味し、衣料の表側とは、衣料を着用した際の着用者とは反対側を意味する。また、本発明において身幅方向とは着用者の左右方向を意味し、身長方向とは着用者の身長方向であって上下方向を意味する。
【００２３】
図１〜図４を用いて衣料の構成について説明する。図１〜図２は、それぞれ本発明の実施の形態に係る衣料１の前身頃３を表側と裏側から見た平面図を表し、図３〜図４は、それぞれ図１に示した衣料１の後身頃４を表側と裏側から見た平面図を表す。なお、図１および図２において、身幅方向ｘの一方側ｘ１に配置されているのが右前身頃３Ｒ、他方側ｘ２に配置されているのが左前身頃３Ｌである。図１〜図４では、衣料１が、袖が無いベストである例を用いて説明するが、衣料の態様はこれに限定されるものではなく、袖付きのものであってもよい。袖部は、裏地がなく、表地一枚で構成されるものであってもよい。衣料１は、表地１１と、裏地１２と、第１止着部２１と、送風機１５と、複数の排気口１６と、複数の第２止着部２２と、を有している。
【００２４】
表地１１は、衣料１の表側に配置されている生地であり、裏地１２は、表地１１よりも着用者の肌側に配置されている生地である。表地１１と裏地１２は、それぞれ１枚の生地から構成されていてもよく、複数の生地を積層することにより構成されていてもよい。排気口１６とは別に裏地１２から着用者側に空気を排出することで冷却効果を一層高めるために、裏地１２は表地１１よりも高い通気性を有していてもよい。
【００２５】
表地１１や裏地１２を構成する生地の材料は、衣料１に一般に使用されるものであれば特に限定されず、例えば、布地（織布、編布、不織布等）、樹脂が積層されている布地、樹脂フィルム、これらを組み合わせた材料等を用いることができる。布地を構成する繊維としては、例えば、綿・絹等の天然繊維、ポリエステル・ポリエチレン・ナイロン等の合成繊維が挙げられる。生地同士は、縫合、接着剤による接着、熱融着、超音波融着等により接合することができる。
【００２６】
表地は裏地に比べて通気度（フラジール通気度：ＪＩＳ  Ｌ  １０９６）の低い生地で構成されていてもよい。これにより、表地から外部に空気が抜けることに起因する空気の取り込み効率が落ちることがなく、また裏地から全体的に身体に空気を与えることができる。表地の通気度は低いほど好ましく、例えばフラジール通気度をゼロ（測定限界以下）とすることができる。
【００２７】
第１止着部２１では、表地１１の縁部１１ａと裏地１２が互いに止着されている。このように表地１１の縁部１１ａが裏地１２に止着されていることにより、表地１１と裏地１２の間に空気を通す流路のベースとなる部分を形成することができる。このように第１止着部２１を形成することにより、衣料１にポケットが設けられていてもよい。表地１１の縁部１１ａは、表地１１の縁から５ｃｍ以内の範囲を指すものとする。
【００２８】
第１止着部２１において、表地１１の縁部１１ａと裏地１２の縁部が互いに止着されていてもよい。図１〜図４に示すように、第１止着部２１において、表地１１の周縁部と裏地１２の周縁部が互いに止着されていてもよい。第１止着部２１の数は特に限定されず、複数設けられていてもよい。
【００２９】
送風機１５は、表地１１に取り付けられており、外部の空気を表地１１と裏地１２の間に取り込む。複数の排気口１６は、裏地１２に形成されており、表地１１と裏地１２の間の空気を着用者側に排出する。排気口１６は、裏地１２の表面側から裏面側へと貫通するように形成される。表地１１と裏地１２の間に取り込まれた空気が排気口１６から排出されることにより、例えば汗が蒸発するときの気化熱を利用して身体の熱を逃がすことができる。
【００３０】
送風機１５は、衣料１を着用したときに邪魔にならない位置に配置されていればよい。例えば衣料１が上衣２の場合、送風機１５は前身頃３と後身頃４の少なくともいずれか一方に形成されていることが好ましく、後身頃４に形成されていることがより好ましい。具体的には、送風機１５は、身長方向ｙにおいて肩甲骨よりも下方に配置されていることが好ましく、着用者の腰に対応する位置に配置されていることがより好ましく、また、袖には形成されていないことが好ましい。
【００３１】
送風機１５の数は特に限定されないが、身体全体を効率よく冷却するために、送風機１５は、身幅方向ｘの一方側ｘ１と他方側ｘ２にそれぞれ取り付けられていることが好ましく、後身頃４の左側と右側にそれぞれ取り付けられていることがより好ましい。送風機１５は、身幅方向ｘに離間して配置されていてもよい。なお、本発明において身幅方向ｘの一方側ｘ１と他方側ｘ２はそれぞれ身幅方向ｘの中央線Ｃの右側と左側を意味する。
【００３２】
排気口１６は、汗をかきやすい所に形成されていることが好ましく、例えば、頭部、首、脇の下、胸、左右の肩甲骨の間、膝の裏に対応する位置に形成されていることが好ましい。複数の排気口１６は、左右対称に配置されていてもよい。図２および図４では、排気口１６が、前身頃３および後身頃４の脇の下に対応する位置、後身頃４の左右の肩甲骨の間に対応する位置（特に図４では身幅方向ｘの中央線Ｃに重なる位置）、前身頃３の胸部に対応する位置に設けられている例を示している。
【００３３】
排気口１６の開口面積は特に限定されないが、例えば１０ｍｍ2以上であることが好ましく、２０ｍｍ2以上であることがより好ましく、３０ｍｍ2以上であることがさらに好ましく、また、３００ｍｍ2以下であることが好ましく、２８０ｍｍ2以下であることがより好ましく、２５０ｍｍ2以下であることがさらに好ましい。排気口１６が円形である場合、排気口１６の直径は、５ｍｍ以上、好ましくは７ｍｍ以上とすることができ、２０ｍｍ以下、好ましくは１５ｍｍの範囲としてもよい。
【００３４】
排気口１６の数は特に限定されないが、身体全体を効率よく冷却するために、排気口１６は、身幅方向ｘの一方側ｘ１と他方側ｘ２にそれぞれ形成されていることが好ましく、後身頃４の左側と右側にそれぞれ形成されていることがより好ましい。また、複数の排気口１６は、身幅方向ｘの一方側ｘ１と他方側ｘ２にそれぞれにおいて身長方向ｙに離間して配置されていてもよい。
【００３５】
排気口１６が、身幅方向ｘの一方側ｘ１と他方側ｘ２のそれぞれにおいて少なくとも２つずつ配置されており、身幅方向ｘの一方側ｘ１と他方側ｘ２のそれぞれにおいて、排気口１６の開口面積は、空気の流れ方向の下流側ほど大きいことが好ましい。これにより空気の流れ方向の下流側で空気を積極的に排出しやすくなるため、空気の流速が高められ、衣料１を素早く冷却することができる。
【００３６】
身長方向ｙにおいて衣料１を上側ｙ１と下側ｙ２に二等分割したときに、上側ｙ１に複数の排気口１６が配置されており、下側ｙ２に送風機１５が配置されていることが好ましい。これにより、送風機１５を衣料１を着用したときに邪魔にならない位置に配置しつつ、身長方向ｙの下方から上方に向かって空気を流すことで衣料１全体を効率よく冷却することができる。
【００３７】
本発明では、第１止着部２１から離間している位置において表地１１と裏地１２が互いに止着されている複数の第２止着部２２が設けられている。複数の第２止着部２２は、身幅方向ｘの一方側ｘ１と他方側ｘ２のそれぞれにおいて身長方向ｙに離間して配置されている。上記配置で第２止着部２２が設けられていることにより表地１１と裏地１２の間の空気の流れを適度に分岐させることができるため、送風機１５からの空気は複数のルートを通って排気口１６から排出されることが可能となる。その結果、着用者が身体を曲げたり捻ったりする等、姿勢を変えても空気の流れをせき止めずに維持することができ、衣料１全体を冷却することができる。また、第２止着部２２を複数設けていることにより衣料１の膨らみを抑制することができるため、スリムなシルエットを得ることもできる。
【００３８】
空気流通性の向上の観点から、第１止着部２１と第２止着部２２の離間距離は、１ｃｍ以上であることが好ましく、３ｃｍ以上であることがより好ましく、５ｃｍ以上であることがさらに好ましい。また、衣料１の膨らみ抑制の観点から、第１止着部２１と第２止着部２２の離間距離は、３０ｃｍ以下であることが好ましく、２５ｃｍ以下であることがより好ましく、２０ｃｍ以下であることがさらに好ましい。
【００３９】
第２止着部２２は、第１止着部２１よりも身幅方向ｘの内方に配置されていることが好ましい。これにより、特に膨らみやすい位置での膨張抑制効果を高めることができる。
【００４０】
第２止着部２２の数は特に限定されないが、第２止着部２２は、身幅方向ｘの一方側ｘ１と他方側ｘ２のそれぞれにおいて、少なくとも３つずつ配置されていることが好ましく、少なくとも４つずつ配置されていることがより好ましい。また、第２止着部２２の身幅方向ｘの一方側ｘ１と他方側ｘ２のそれぞれにおいて、１５以下配置されていることが好ましく、１２以下配置されていることがより好ましい。これにより、表地１１と裏地１２の間の空気の流れをより多数に分岐させることができるようになる。
【００４１】
衣料１は、前身頃３と後身頃４を有する上衣２であり、送風機１５は、後身頃４に取り付けられており、複数の第２止着部２２は、前身頃３の身幅方向ｘの一方側ｘ１と他方側ｘ２と、後身頃４の身幅方向ｘの一方側ｘ１と他方側ｘ２にそれぞれ配置されていることが好ましい。これにより送風機１５を衣料１を着用したときに邪魔にならない位置に配置しつつ、第２止着部２２によって前身頃３と後身頃４の両方で空気の流れ方向が制御されるため、衣料１全体を効率よく冷却することができる。
【００４２】
複数の第２止着部２２は、身幅方向ｘの一方側ｘ１と他方側ｘ２のそれぞれにおいて、身幅方向ｘにも離間して配置されていることが好ましい。これにより、空気の流れをより多数に分岐させることができる。
【００４３】
第２止着部２２が、身幅方向ｘの一方側ｘ１と他方側ｘ２のそれぞれにおいて少なくとも３つずつ配置されており、身幅方向ｘの一方側ｘ１と他方側ｘ２のそれぞれにおいて、隣り合う第２止着部２２間の身長方向ｙの距離は、空気の流れ方向の下流側ほど小さいことが好ましい。これにより下流側での空気の流れ方向を制御しやすくなり、衣料１全体を好適に冷却することができる。ここで、隣り合う第２止着部２２間の身長方向ｙの距離は、身長方向ｙにおいて、上側に位置する第２止着部２２の下方端と、下側に位置する第２止着部２２の上方端との最短距離を意味する。
【００４４】
一の第２止着部２２が身幅方向ｘに隣り合う他の第２止着部２２との距離は、一の第２止着部２２が身長方向ｙに隣り合うさらに他の第２止着部２２との距離よりも大きいことが好ましい。これにより、空気を身幅方向ｘよりも身長方向ｙに優先的に流れやすくすることができる。ここで、一の第２止着部２２が身幅方向ｘに隣り合う他の第２止着部２２との距離（すなわち、身幅方向ｘにおいて隣り合う第２止着部２２間の距離）は、身幅方向ｘにおいて、左側に位置する第２止着部２２の右方端と、右側に位置する第２止着部２２の左方端との最短距離を意味する。
【００４５】
隣り合う第２止着部２２間の身幅方向ｘの距離は、身長方向ｙにおいて一定であってもよい。これにより空気の流れ方向を制御しやすくなり、衣料１の大量生産にも適している。
【００４６】
隣り合う第２止着部２２間の身幅方向ｘの距離は、空気の流れ方向の下流側ほど小さくなっていてもよい。これにより下流側での空気の流れ方向を制御しやすくなり、衣料１全体を好適に冷却することができる。
【００４７】
第２止着部２２の延在方向は特に限定されないが、身幅方向ｘに対して４５度以上傾斜していることが好ましく、６０度以上傾斜していることがより好ましく、７０度以上傾斜していることがさらに好ましく、また１３５度以下傾斜していることが好ましく、１２０度以下傾斜していることがより好ましく、１１０度以下傾斜していることがさらに好ましい。このように第２止着部２２を延在させることにより、衣料１全体としては空気がおおよそ身長方向ｙに流れるようになる。
【００４８】
図１〜図４に示すように、第２止着部２２は、身長方向ｙに延在するように配置されていることが好ましい。これにより、空気を身長方向ｙに沿って流れやすくすることができるため、空気の流速が高められ、衣料１を素早く冷却することができる。
【００４９】
図５〜図６を参照しながら、図１〜図４とは異なる第２止着部２２の配置例について説明する。図５〜図６は、図３に示した衣料１の後身頃４を表側から見た平面図の他の変形例を表す。図５に示すように、第２止着部２２は、身長方向ｙの上方から下方に向かって身幅方向ｘの内方から外方に延在するように配置されていることが好ましい。このように第２止着部２２を延在させることによって空気の流れ方向を制御することができるとともに、衣料１のシルエットの微調整が可能になる。また、送風機１５よりも身長方向ｙの上方に配置されている第２止着部２２が、身長方向ｙの上方から下方に向かって身幅方向ｘの内方から外方に延在するように配置されていることが好ましい。これにより、空気の流れ方向の下流側では身幅方向ｘの内方に向かって空気が流れやすくなる。身体の身幅方向ｘの内方を集中的に冷やすことで、着用者の体温を効率的に下げることができる。
【００５０】
図６に示すように、第２止着部２２は、身長方向ｙの上方から下方に向かって身幅方向ｘの外方から内方に延在するように配置されていることが好ましい。このように第２止着部２２を延在させることによっても空気の流れ方向を制御することができるとともに、衣料１のシルエットの微調整が可能になる。また、送風機１５よりも身長方向ｙの上方に配置されている第２止着部２２が、身長方向ｙの上方から下方に向かって身幅方向ｘの外方から内方に延在するように配置されていてもよい。これにより、空気の流れ方向の下流側では身幅方向ｘの外方に向かって空気が流れやすくなり、衣料１全体に空気が行き渡りやすくなるため、衣料１全体を冷却する効果が高められる。
【００５１】
図１〜図５に示すように、複数の第２止着部２２の延在方向は同じであることが好ましい。これにより空気の流れ方向を制御しやすくなり、衣料１の大量生産にも適している。
【００５２】
図６に示すように、複数の第２止着部２２の延在方向が異なっていてもよい。様々な向きに第２止着部２２を配置することによって、衣料１全体に空気が行き渡りやすくなり、衣料１全体を冷却する効果が高められる。例えば、身幅方向ｘの一方側ｘ１において身長方向ｙに離間している一の第２止着部２２と他の第２止着部２２が設けられている場合、一の第２止着部２２が身長方向ｙの上方から下方に向かって身幅方向ｘの外方から内方に延在するように配置されており、他の第２止着部２２が身長方向ｙの上方から下方に向かって身幅方向ｘの内方から外方に延在するように配置されていてもよい。
【００５３】
身幅方向ｘの一方側ｘ１と他方側ｘ２の少なくともいずれか一方において、身幅方向ｘに隣り合う第２止着部２２の延在方向は、同じであることが好ましい。このように第２止着部２２の延在方向を設定することにより、身長方向ｙにおける空気の流れを身幅方向ｘ全体で均一にしやすくなる。
【００５４】
身幅方向ｘの一方側ｘ１と他方側ｘ２の少なくともいずれか一方において、身長方向ｙに隣り合う第２止着部２２の延在方向が異なっていることが好ましい。このように第２止着部２２の延在方向を設定することにより、空気の流れ方向を複雑にすることができるため、衣料１全体に空気が行き渡りやすくなり、衣料１全体を冷却する効果が高められる。
【００５５】
第２止着部２２の延在方向は、左右対称であることが好ましい。これにより、左右均等に冷却効果が得られるとともに、衣料１のいびつな膨張を抑制することができる。
【００５６】
第２止着部２２の形状は特に限定されないが、第２止着部２２は、帯状または線状に形成されていることが好ましい。第２止着部２２をこのような形状とすることにより、空気の流れ方向の制御や衣料１のシルエットの調整が行いやすくなる。なお、第２止着部２２は、連続的または断続的な帯状または線状に形成されていてもよい。
【００５７】
複数の第２止着部２２の長さは、同じでもよく、異なっていてもよい。第２止着部２２の長さは特に限定されないが、例えば、１ｃｍ以上であることが好ましく、３ｃｍ以上であることがより好ましく、５ｃｍ以上であることがさらに好ましく、また、１５ｃｍ以下であることが好ましく、１２ｃｍ以下であることがより好ましく、１０ｃｍ以下であることがさらに好ましい。第２止着部２２の長さをこのような範囲に設定することによって、適度に空気の流れを確保しながら、衣料１の膨らみを抑制することができる。
【００５８】
下流側での空気の流れ方向を制御しやすくするためには、第２止着部２２の長さは、空気の流れ方向の下流側ほど長いことが好ましい。
【００５９】
身幅方向ｘの一方側ｘ１と他方側ｘ２の少なくともいずれか一方において、身幅方向ｘに隣り合う第２止着部２２の長さは、同じであることが好ましい。このように第２止着部２２の長さを設定することにより、身長方向ｙにおける空気の流れを身幅方向ｘ全体で均一にしやすくなる。
【００６０】
第２止着部２２が、身幅方向ｘの一方側ｘ１と他方側ｘ２のそれぞれにおいて少なくとも２つずつ配置されており、身幅方向ｘの一方側ｘ１と他方側ｘ２のそれぞれにおいて、第２止着部２２の長さは、空気の流れ方向の下流側ほど長いことが好ましい。これにより下流側での空気の流れ方向を制御しやすくなり、衣料１全体を好適に冷却することができる。
【００６１】
第１止着部２１と第２止着部２２がそれぞれ帯状または線状に形成されている場合、すべての第２止着部２２の合計長さが、すべての第１止着部２１の合計長さよりも短いことが好ましい。これにより、空気の流れを低下させない程度に適度に分岐させることができるため、空気が衣料１全体に行き渡りやすくなり、衣料１全体を冷却することができる。
【００６２】
複数の第２止着部２２の幅は、同じでもよく、異なっていてもよい。第２止着部２２の幅は、例えば０．５ｍｍ以上、１ｍｍ以上、３ｍｍ以上、または２０ｍｍ以下、１５ｍｍ以下、１０ｍｍ以下とすることができる。第２止着部２２の幅をこのような範囲に設定することによって、適度に空気の流れを確保しながら、衣料１の膨らみを抑制することができる。
【００６３】
第２止着部２２は、左右対称な形状に形成されていることが好ましい。これにより、衣料１の左右均等に冷却効果が得られるとともに、衣料１のいびつな膨張を抑制することができる。
【００６４】
送風機１５は、身幅方向ｘの一方側ｘ１と他方側ｘ２にそれぞれ取り付けられており、身幅方向ｘにおいて、第２止着部２２は、２つの送風機１５の内方端よりも内方に配置されていることが好ましい。これにより、送風機１５からの空気をスムーズに第２止着部２２に誘導しながら、身幅方向ｘの内方側の膨らみを抑制することができるため、スリムなシルエットを得ることができる。同様の理由から、身幅方向ｘの一方側ｘ１と他方側ｘ２のそれぞれにおいて、さらに身幅方向ｘを内方側と外方側に二等分割したときの内方側に第２止着部２２が配置されており、外方側に送風機１５が配置されていてもよい。
【００６５】
身長方向ｙにおいて、送風機１５は、最も下方側に配置されている第２止着部２２の下方端よりも上方に配置されていることが好ましい。これにより、送風機１５からの空気は、最も下方側に並んで配置されている２つの第２止着部２２間を通りやすくなるため、空気が様々な方向に流れやすくなって衣料１全体に行き渡りやすくなる。
【００６６】
図示していないが、身長方向ｙにおいて、送風機１５は、最も下方側に配置されている第２止着部２２の下方端よりも下方に配置されていてもよい。これにより、送風機１５からの空気は身幅方向ｘに並んで配置されている２つの第２止着部２２間を通り、身長方向ｙに沿って流れやすくなる。
【００６７】
身幅方向ｘの一方側ｘ１と他方側ｘ２のそれぞれにおいて、身幅方向ｘに並んでいる一の第２止着部２２と他の第２止着部２２の間に複数の排気口１６が配置されていることが好ましい。これにより身幅方向ｘに並んでいる第２止着部２２間に誘導された空気を効率よく排気口１６から排出することができるため、衣料１の冷却効果を高めることができる。なお図６に示されている排気口１６の位置は勿論のことながら特に制限されるものではなく、図４に示されているように背中部あるいは脇部にあってもよい。
【００６８】
身長方向ｙにおいて、最も上方に配置されている排気口１６の上方端は、最も上方に配置されている第２止着部２２の上方端よりも下方に配置されていることが好ましい。また、身長方向ｙにおいて、最も下方に配置されている排気口１６の下方端は、最も下方に配置されている第２止着部２２の下方端よりも上方に配置されていることが好ましい。これにより第２止着部２２で空気の流れ方向を制御しながら、空気を効率よく排気口１６から排出することができる。
【００６９】
図７は、図３に示したＶＩＩ−ＶＩＩ線に沿った断面図を表し、第２止着部２２における止着状態を示している。図７では表地１１と裏地１２が積層されている方向をｚと示している。第２止着部２２において表地１１と裏地１２は、縫合、接着剤の塗布、ヒートシールや熱音波融着等の熱融着、鋲止め、またはこれらの組み合わせにより止着することができる。なお、第１止着部２１や後述する第３止着部２３も同様の方法で止着することができる。図７では、表地１１と裏地１２が接着剤１４によって接着されている例を示している。
【００７０】
衣料１の膨らみを抑制するために、第２止着部２２は、表地１１の裏側面と裏地１２の表側面が互いに当接していてもよい。
【００７１】
図８は、図７に示す断面図の変形例を表している。図８に示すように、第２止着部２２において、表地１１と裏地１２の間に一方主面１３Ａと該一方主面１３Ａと反対側の他方主面１３Ｂを有する中地１３が配置されていてもよい。その場合、中地１３の一方主面１３Ａの一方端部が表地１１の裏側面に取り付けられており、中地１３の一方主面１３Ａの他方端部が裏地１２の表側面に取り付けられていることが好ましい。このように中地１３を配置することで、第２止着部２２における空気の流れ抵抗を調節することができるため、空気の流れ方向を制御しやすくなる。
【００７２】
中地１３を構成する材料としては、表地１１や裏地１２を構成する材料と同様のものを使用することができる。第２止着部２２における空気の流れ抵抗を低くするためには、中地１３は表地１１と裏地１２よりも高い通気性を有していることが好ましい。例えば、中地１３は、メッシュ生地から構成されていることが好ましい。これにより第２止着部２２においても空気が流れやすくなるため、衣料１全体の冷却効果をより一層高めることができる。
【００７３】
第２止着部２２における空気の流れ抵抗を高くするためには、中地１３は表地１１と裏地１２よりも低い通気性を有していることが好ましい。
【００７４】
図８に示すように、中地１３の他方主面１３Ｂは、空気の流れ方向の下流側に配置されていることが好ましい。このように中地１３を配置することにより、送風機１５からの空気抵抗を小さくすることができる。
【００７５】
図示していないが、中地１３の一方主面１３Ａが、空気の流れ方向の下流側に配置されていてもよい。このように中地１３を配置することにより、送風機１５からの空気抵抗を大きくすることができる。
【００７６】
表地１１および中地１３と、裏地１２および中地１３は、縫合、接着剤の塗布、ヒートシールや熱音波融着等の熱融着、鋲止め、またはこれらの組み合わせにより止着することができる。表地１１および中地１３の止着方法と、裏地１２および中地１３の止着方法は同じであってもよく、異なっていてもよい。
【００７７】
衣料１には、さらに、第１止着部２１から離間している位置において表地１１と裏地１２が互いに止着されている複数の第３止着部２３が設けられており、第３止着部２３は、身幅方向ｘに延在するように配置されており、複数の第３止着部２３は、身幅方向ｘの一方側ｘ１と他方側ｘ２のそれぞれにおいて、身幅方向ｘに離間して配置されていることが好ましい。このように第３止着部２３が配置されていることにより表地１１と裏地１２の間の空気の流れをさらに多数に分岐することができ、また、裾部をあまり膨らませなくすることで腰回りをすっきりとしたデザインにすることができる。
【００７８】
身長方向ｙにおいて、複数の第３止着部２３は、複数の第２止着部２２よりも下方に配置されていることが好ましい。複数の第３止着部２３によって空気の流れがせき止められ、送風機１５からの空気を、空気の流れを適度に分岐させることができる第２止着部２２に優先的に流すことができるため、衣料１全体の冷却効果を一層高めることができる。同様の理由から、身長方向ｙにおいて、第３止着部２３は、送風機１５よりも下方に配置されていることが好ましい。
【００７９】
第３止着部２３は、身幅方向ｘの中心線Ｃと交差するように配置されていてもよい。これにより、表地１１と裏地１２の間の空気の流れをより多数に分岐させることができるようになる。
【００８０】
第３止着部２３の延在方向は、第２止着部２２の延在方向と異なっていることが好ましい。例えば、第３止着部２３の延在方向は、身幅方向ｘと平行であるか、身幅方向ｘに対して３度以上、５度以上、あるいは１０度以上傾斜していてもよく、また、３０度以下、２５度以下、あるいは２０度以下傾斜していてもよい。
【００８１】
第３止着部２３の形状は特に限定されないが、第２止着部２２と同様に帯状または線状に形成することができる。複数の第３止着部２３の長さや幅は、同じでもよく、異なっていてもよい。第３止着部２３の長さや幅は、第２止着部２２と同様に設定することができる。
【００８２】
第３止着部２３の数は特に限定されないが、第３止着部２３は、４つ以上配置されていることが好ましく、５つ以上配置されていることがより好ましく、また、８つ以下配置されていることが好ましく、７つ以下配置されていることがより好ましい。また、第３止着部２３は、身幅方向ｘの一方側ｘ１と他方側ｘ２のそれぞれにおいて、２つ以上配置されていればよく、４つ以下配置されていてもよい。
【００８３】
身幅方向ｘにおいて、隣り合う第３止着部２３間の距離は、一定であることが好ましい。これにより空気の流れ方向を制御しやすくなり、衣料１の大量生産にも適している。ここで、隣り合う第３止着部２３間の距離は、身幅方向ｘにおいて左側に位置する第３止着部２３の右方端と、右側に位置する第３止着部２３の左方端との最短距離を意味する。
【００８４】
身幅方向ｘにおいて、隣り合う第３止着部２３間の距離は、第３止着部２３の長さよりも短いことが好ましい。これにより、複数の第３止着部２３によって空気の流れがせき止められやすくなるため、送風機１５からの空気を第２止着部２２に優先的に流すことができる。同様の理由から、身幅方向ｘにおいて、隣り合う第３止着部２３間の最大距離は、身長方向ｙにおいて隣り合う第２止着部２２間の最小距離よりも小さいことが好ましい。
【００８５】
衣料１には、さらに、第３止着部２３よりも身幅方向ｘの外方であって第２止着部２２よりも身長方向ｙの下方に表地１１と裏地１２が互いに止着されている第４止着部２４が設けられており、第４止着部２４の外方端が、第１止着部２１と接していることが好ましい。このように第４止着部２４が設けられていることにより表地１１と裏地１２の間の空気の流れをせき止めることができる。
【００８６】
第４止着部２４は、身幅方向ｘに延在していることが好ましい。また、第４止着部２４は、身幅方向ｘの一方側ｘ１と他方側ｘ２にそれぞれ設けられていることが好ましい。第４止着部２４の延在方向は、第３止着部２３の延在方向と同様にすることができる。また、第４止着部２４の形状は、第２止着部２２と同様に帯状または線状に形成することができる。複数の第４止着部２４の長さや幅は、同じでもよく、異なっていてもよい。第４止着部２４の長さや幅は、第２止着部２２と同様に設定することができる。
【００８７】
次に、図１〜図８に示した衣料とは異なる態様の衣料について図９〜図１２を参照しながら説明する。なお、図９〜図１２の説明において、上記の説明と重複する部分は説明を省略する。図９は、本発明の他の実施の形態に係る衣料の斜視図を表し、図１０は、図９に示した衣料の背面図を表している。図１１および図１２に、それぞれ図９に示したフードを表側または裏側から見た側面図を表している。衣料１は、表地１１と表地１１よりも着用者の肌側に配置されている裏地１２とを有し着用者の頭部および首を覆うフード５が取り付けられている上衣であり、第２止着部２２は、フード５の身幅方向ｘの一方側ｘ１と他方側ｘ２にそれぞれ配置されており、フード５の裏地１２に排気口１６が配置されていることが好ましい。表地１１は裏地１２に比べて通気度（フラジール通気度：ＪＩＳ  Ｌ  １０９６）の低い生地で構成されていてもよい。これにより、表地１１から外部に空気が抜けることに起因する空気の取り込み効率が落ちることがなく、また裏地１２から全体的に頭部に空気を与えることができる。
【００８８】
フード５の左頭側部と右頭側部の裏地１２にそれぞれ複数の排気口１６が配置されていることが好ましい。これにより、着用者の顔周りや頭部にさらに風を送ることができるため、身体全体を効率よく冷却することができる。
【００８９】
本発明において、フード５の頭側部は、着用者の頭部の側部を覆う部分であり、例えば、頬、耳、側頭骨、蝶形骨、側頭筋を覆う。着用者の左側の頭側部を覆う部分が左頭側部、右側の頭側部を覆う部分が右頭側部である。図１１〜図１２では、左頭側部から見たフード５の側面図を示している。
【００９０】
図１０に示すように、フード５の後頭部にも排気口１６（より好ましくは複数の排気口１６）が配置されていることが好ましい。これにより、着用者の首部にも風を送ることができる。なお、フード５の後頭部は頭部の後側や首の後側を覆う部分であり、例えば、後頭骨、頭頂骨の後側半分、後頭筋、僧帽筋の首部分を覆う。
【符号の説明】
【００９１】
１：衣料
２：上衣
３：前身頃
３Ｌ：左前身頃
３Ｒ：右前身頃
４：後身頃
５：フード
１１：表地
１２：裏地
１３：中地
１３Ａ：中地の一方主面
１３Ｂ：中地の他方主面
１４：接着剤
１５：送風機
１６：排気口
２１：第１止着部
２２：第２止着部
２３：第３止着部
２４：第４止着部
ｘ：身幅方向
ｘ１：身幅方向の一方側
ｘ２：身幅方向の他方側
ｙ：身長方向
ｙ１：身長方向の上側
ｙ２：身長方向の下側
ｚ：表地と裏地の積層方向
【図１】
2020084348.tif 000003
【図２】
2020084348.tif 000004
【図３】
2020084348.tif 000005
【図４】
2020084348.tif 000006
【図５】
2020084348.tif 000007
【図６】
2020084348.tif 000008
【図７】
2020084348.tif 000009
【図８】
2020084348.tif 000010
【図９】
2020084348.tif 000011
【図１０】
2020084348.tif 000012
【図１１】
2020084348.tif 000013
【図１２】
2020084348.tif 000014
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、
前記裏地に形成されており、前記表地と前記裏地の間の空気を着用者側に排出する複数の排気口と、を有している衣料であって
前記第１止着部から離間している位置において前記表地と前記裏地が互いに止着されている複数の第２止着部が設けられており、
前記複数の第２止着部は、身幅方向の一方側と他方側のそれぞれにおいて身長方向に離間して配置されており、
前記第２止着部において、前記表地の裏側面と前記裏地の表側面が互いに当接していることを特徴とする衣料。
【請求項２】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、
前記裏地に形成されており、前記表地と前記裏地の間の空気を着用者側に排出する複数の排気口と、を有している衣料であって
前記第１止着部から離間している位置において前記表地と前記裏地が互いに止着されている複数の第２止着部が設けられており、
前記複数の第２止着部は、身幅方向の一方側と他方側のそれぞれにおいて身長方向に離間して配置されており、
前記第２止着部において、前記表地と前記裏地が接着剤を介して直接接合されていることを特徴とする衣料。
【請求項３】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、
前記裏地に形成されており、前記表地と前記裏地の間の空気を着用者側に排出する複数の排気口と、を有している衣料であって
前記第１止着部から離間している位置において前記表地と前記裏地が互いに止着されている複数の第２止着部が設けられており、
前記複数の第２止着部は、身幅方向の一方側と他方側のそれぞれにおいて身長方向に離間して配置されており、
前記第２止着部において、前記表地と前記裏地の間に一方主面と該一方主面と反対側の他方主面を有する中地が配置されており、
前記中地の前記一方主面の一方端部が前記表地の裏側面に取り付けられており、
前記中地の前記一方主面の他方端部が前記裏地の表側面に取り付けられていることを特徴とする衣料。
【請求項４】
前記中地の前記他方主面は、空気の流れ方向の下流側に配置されている請求項３に記載の衣料。
【請求項５】
前記第２止着部が、身幅方向の一方側と他方側のそれぞれにおいて少なくとも３つずつ配置されており、
身幅方向の一方側と他方側のそれぞれにおいて、隣り合う第２止着部間の身長方向の距離は、空気の流れ方向の下流側ほど小さい請求項１〜４のいずれか一項に記載の衣料。
【請求項６】
前記第２止着部は、身長方向に延在するように配置されている請求項１〜５のいずれか一項に記載の衣料。
【請求項７】
前記第２止着部は、身長方向の上方から下方に向かって身幅方向の内方から外方に延在するように配置されている請求項１〜６のいずれか一項に記載の衣料。
【請求項８】
前記第２止着部は、身長方向の上方から下方に向かって身幅方向の外方から内方に延在するように配置されている請求項１〜６のいずれか一項に記載の衣料。
【請求項９】
前記第２止着部は、帯状または線状に形成されている請求項１〜８のいずれか一項に記載の衣料。
【請求項１０】
前記第２止着部が、身幅方向の一方側と他方側のそれぞれにおいて少なくとも２つずつ配置されており、
身幅方向の一方側と他方側のそれぞれにおいて、前記第２止着部の長さは、空気の流れ方向の下流側ほど長い請求項９に記載の衣料。
【請求項１１】
前記送風機は、身幅方向の一方側と他方側にそれぞれ取り付けられており、
身幅方向において、前記第２止着部は、２つの前記送風機の内方端よりも内方に配置されている請求項１〜１０のいずれか一項に記載の衣料。
【請求項１２】
さらに、前記第１止着部から離間している位置において前記表地と前記裏地が互いに止着されている複数の第３止着部が設けられており、
前記第３止着部は、身幅方向に延在するように配置されており、
前記複数の第３止着部は、身幅方向の一方側と他方側のそれぞれにおいて、身幅方向に離間して配置されている請求項１〜１１のいずれか一項に記載の衣料。
【請求項１３】
身長方向において、前記複数の第３止着部は、前記複数の第２止着部よりも下方に配置されている請求項１２に記載の衣料。
【請求項１４】
前記衣料は、前身頃と後身頃を有する上衣であり、
前記送風機は、前記後身頃に取り付けられており、
前記複数の第２止着部は、前記前身頃の身幅方向の一方側と他方側と、前記後身頃の身幅方向の一方側と他方側にそれぞれ配置されている請求項１〜１３のいずれか一項に記載の衣料。
【請求項１５】
前記衣料は、表地と該表地よりも着用者の肌側に配置されている裏地とを有し着用者の頭部および首を覆うフードが取り付けられている上衣であり、
前記第２止着部は、前記フードの身幅方向の一方側と他方側にそれぞれ配置されており、前記フードの裏地に排気口が配置されている請求項１〜１４のいずれか一項に記載の衣料。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、を有している衣料であって、
前記裏地には、前記表地と前記裏地の間の空気を着用者側に排出する複数の排気口が形成されており、前記衣料の身頃の前記表地には、排気口が形成されておらず、
前記第１止着部から離間している位置において前記表地と前記裏地が互いに止着されている複数の第２止着部が設けられており、
前記複数の第２止着部は、身幅方向の一方側と他方側のそれぞれにおいて身長方向に離間して配置されており、
前記第２止着部において、前記表地の裏側面と前記裏地の表側面が互いに当接していることを特徴とする衣料。
【請求項２】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、を有している衣料であって、
前記裏地には、前記表地と前記裏地の間の空気を着用者側に排出する複数の排気口が形成されており、前記衣料の身頃の前記表地には、排気口が形成されておらず、
前記第１止着部から離間している位置において前記表地と前記裏地が互いに止着されている複数の第２止着部が設けられており、
前記複数の第２止着部は、身幅方向の一方側と他方側のそれぞれにおいて身長方向に離間して配置されており、
前記第２止着部において、前記表地と前記裏地が接着剤を介して直接接合されていることを特徴とする衣料。
【請求項３】
表地と、
該表地よりも着用者の肌側に配置されている裏地と、
前記表地の縁部と前記裏地が互いに止着されている第１止着部と、
前記表地に取り付けられており、外部の空気を前記表地と前記裏地の間に取り込む送風機と、
前記裏地に形成されており、前記表地と前記裏地の間の空気を着用者側に排出する複数の排気口と、を有している衣料であって、
前記第１止着部から離間している位置において前記表地と前記裏地が互いに止着されている複数の第２止着部が設けられており、
前記複数の第２止着部は、身幅方向の一方側と他方側のそれぞれにおいて身長方向に離間して配置されており、
前記第２止着部において、前記表地と前記裏地の間に一方主面と該一方主面と反対側の他方主面を有する中地が配置されており、
前記中地の前記一方主面の一方端部が前記表地の裏側面に取り付けられており、
前記中地の前記一方主面の他方端部が前記裏地の表側面に取り付けられていることを特徴とする衣料。
【請求項４】
前記中地の前記他方主面は、空気の流れ方向の下流側に配置されている請求項３に記載の衣料。
【請求項５】
前記第２止着部が、身幅方向の一方側と他方側のそれぞれにおいて少なくとも３つずつ配置されており、
身幅方向の一方側と他方側のそれぞれにおいて、隣り合う第２止着部間の身長方向の距離は、空気の流れ方向の下流側ほど小さい請求項１〜４のいずれか一項に記載の衣料。
【請求項６】
前記第２止着部は、身長方向に延在するように配置されている請求項１〜５のいずれか一項に記載の衣料。
【請求項７】
前記第２止着部は、帯状または線状に形成されている請求項１〜６のいずれか一項に記載の衣料。
【請求項８】
前記第２止着部が、身幅方向の一方側と他方側のそれぞれにおいて少なくとも２つずつ配置されており、
身幅方向の一方側と他方側のそれぞれにおいて、前記第２止着部の長さは、空気の流れ方向の下流側ほど長い請求項７に記載の衣料。
【請求項９】
前記送風機は、身幅方向の一方側と他方側にそれぞれ取り付けられており、
身幅方向において、前記第２止着部は、２つの前記送風機の内方端よりも内方に配置されている請求項１〜８のいずれか一項に記載の衣料。
【請求項１０】
前記衣料は、前身頃と後身頃を有する上衣であり、
前記送風機は、前記後身頃に取り付けられており、
前記複数の第２止着部は、前記前身頃の身幅方向の一方側と他方側と、前記後身頃の身幅方向の一方側と他方側にそれぞれ配置されている請求項１〜９のいずれか一項に記載の衣料。
【請求項１１】
前記衣料は、表地と該表地よりも着用者の肌側に配置されている裏地とを有し着用者の頭部および首を覆うフードが取り付けられている上衣であり、
前記第２止着部は、前記フードの身幅方向の一方側と他方側にそれぞれ配置されており、前記フードの裏地に排気口が配置されている請求項１〜１０のいずれか一項に記載の衣料。